(57)【要約】【課題】液晶ガラス等を用いて、物品の動作や機能を視覚的にわかりやすく表現できる展示装置を提供することである。【解決手段】液晶ガラス２０は不透明状態では、透明ガラススクリーン１４のエッジガラス２２上に描かれた自動車の絵が肉眼上把握される。液晶ガラス２０が透明状態に移行すると、隠れていた自動車４０が透明ガラススクリーン１４を通して見える状態になる。次に、発光ダイオード３０を点灯させる。この発光ダイオード３０から発せられた光は、エッジガラス２２を伝播し、エッジング２２ａにおいて乱反射し、エッジング２２ａが光っているように見える。エッジング２２ａは、エンジンルームから、自動車の居住空間に至る領域に設けられている。応力の大きさに応じて発光ダイオード３０の発光する光の色彩が選択されているので、応力の伝播の様子を視覚的に明瞭に示すことができたのである。【選択図】図１
2007219154.tif 000002
【特許請求の範囲】
【請求項１】
展示物と前記展示物を見る者との間に設けられた透明ガラススクリーン、を備え、前記透明ガラススクリーンを介して前記展示物を展示する展示装置において、
前記透明ガラススクリーンは、
光の透過の程度を変化させることが可能な調光ガラスと、
表面に、凹部又は凸部又は孔部が設けられた透明板と、
前記高透過ガラス透明板の縁部の一部又は全部に設けられ、前記縁部から前記高透過ガラス透明板に対して光を発する発光手段と、
を含むことを特徴とする展示装置。
【請求項２】
請求項１記載の展示装置において、
前記調光ガラスは、液晶シートと、透明ガラスと、から成る液晶ガラスであることを特徴とする展示装置。
【請求項３】
請求項１記載の展示装置において、
前記透明板は、表面に、所定間隔で凹部又は凸部又は孔部が設けられていることを特徴とする展示装置。
【請求項４】
請求項１記載の展示装置において、
前記発光手段は、位置によって、発光する色が異なることを特徴とする展示装置。
【請求項５】
請求項１記載の展示装置において、
前記調光ガラス又は透明板の表面に、前記展示物の形状を示す図形が描かれていることを特徴とする展示装置。
【発明の詳細な説明】
【技術分野】
【０００１】
本発明は、物品を展示する展示装置に関する。特に、物品の機能・動作・性質を見る者に対し視覚的に訴えることが可能な展示装置に関する。
【背景技術】
【０００２】
物品の販売店において、販売の対象となる物品の展示は、売り上げに大きな影響を及ぼすため、極めて重要である。また。販売の場面だけでなく、各種博覧会や展覧会などに於いて、商品の機能や動作などを効果的に展示する手法は、極めて重要な検討事項である。
【０００３】
そのため、従来から種々の展示手法が提案されてきた。
【０００４】
従来の展示技術の例
例えば、下記特許文献１には、調光ガラスを用いたショーケースが示されている。調光ガラスは、よく知られているように、電圧を加える／加えないことによって透明／不透明状態を切り換えることができるガラスである。この調光ガラスを用いてショールームの小間をそれぞれ独立してその明るさを調整することができる。従って、通行者の関心を強く引きつけることが可能なショーケースが実現できると特許文献１には記載されている。
【０００５】
なお、調光ガラスは、一般に液晶シートとガラス板とから構成されており、液晶ガラスとも呼ばれている。
【０００６】
また、下記特許文献２には、立体空間と映像表現とスクリーンモニタとしても利用可能な映像ディスプレイ装置が開示されている。この特許文献２には、スクリーンが液晶ガラスで構成し、不透明状態でスクリーンとして使用可能であると共に、透明状態にして背面の映像も表示されるようにした構成が開示されている。
【０００７】
このように、液晶ガラス（調光ガラス）は、従来にない新しい視覚的効果を演出することができるので、様々な物品・商品の展示・表示に利用することができると考えられている。液晶ガラスとしては、日本板硝子株式会社の「ＵＭＵ」（登録商標）が知られている。このＵＭＵの応用例が日本板硝子株式会社のＷｅｂサイトに種々記載されている。
【０００８】
液晶ガラスの従来の応用例
このように液晶ガラスは透明／不透明状態を制御できるので、種々の視覚的効果を意図した応用が知られている。
【０００９】
例えば、下記特許文献３には、エレベータのゴンドラに液晶ガラスを使用し、階によって透明／不透明状態を制御したシースルー型エレベータが開示されている。
【００１０】
また、下記特許文献４には、展望用エレベータに液晶ガラスを用いて温度上昇を防止する仕組みが開示されている。
【００１１】
また、下記特許文献５には、車両の天井に設けられる透明ルーフに液晶ガラスを用いる構成が開示されている。
【００１２】
【特許文献１】特開平０５−１３７６３３号公報
【特許文献２】特開平０７−３６１０８号公報
【特許文献３】特開平０８−１７７３４１号公報
【特許文献４】特開平０５−７００６０号公報
【特許文献５】特表２００４−５２１８１２号公報
【発明の開示】
【発明が解決しようとする課題】
【００１３】
さて、このように液晶ガラスを用いて、見る者の視覚に訴える仕組みは種々知られている。
【００１４】
しかし、近年、商品の機能の高度化とともに、その動作や機能をよりわかりやすく表現できる装置が望まれている。
【００１５】
本発明は、係る課題に鑑みなされたものであり、その目的は、液晶ガラス等を用いて、物品の動作や機能を視覚的にわかりやすく表現できる展示装置を提供することである。
【課題を解決するための手段】
【００１６】
（１）本発明は、上記課題を解決するために、展示物と前記展示物を見る者との間に設けられた透明ガラススクリーン、を備え、前記透明ガラススクリーンを介して前記展示物を展示する展示装置において、前記透明ガラススクリーンは、光の透過の程度を変化させることが可能な調光ガラスと、表面に、凹部又は凸部又は孔部が設けられた高透過ガラス透明板と、前記透明板の縁部の一部又は全部に設けられ、前記縁部から前記透明板に対して光を発する発光手段と、を含むことを特徴とする展示装置である。
【００１７】
（２）また、本発明は、上記（１）記載の展示装置において、前記調光ガラスは、液晶シートと、透明ガラスと、から成る液晶ガラスであることを特徴とする展示装置である。
【００１８】
（３）また、本発明は、上記（１）記載の展示装置において、前記透明板は、表面に、所定間隔で凹部又は凸部又は孔部が設けられていることを特徴とする展示装置である。
【００１９】
（４）また、本発明は、上記（１）記載の展示装置において、前記発光手段は、位置によって、発光する色が異なることを特徴とする展示装置である。
【００２０】
（５）また、本発明は、上記（１）記載の展示装置において、前記調光ガラス又は透明板の表面に、前記展示物の形状を示す図形が描かれていることを特徴とする展示装置である。
【発明の効果】
【００２１】
以上述べたように、本発明によれば、調光ガラスと、凹部等を設けた透明板に発光手段を組み合わせたので、よりダイナミックな表示が可能となり、見る者に物品を視覚的にアピールすることができる。
【発明を実施するための最良の形態】
【００２２】
以下、本発明の好適な実施の形態を図面に基づき説明する。
【００２３】
１．全体構成
本実施の形態における展示装置１０の正面図が図１に示されているこの図１に示すように、展示装置１０は、台１２と、透明ガラススクリーン１４とから構成されている。透明ガラススクリーン１４の表面には、展示の対象物である自動車の簡単な絵が示されている。そして、図１４の状態では、この透明ガラススクリーン１４は不透明状態である。透明ガラススクリーン１４の裏には、展示対象である自動車が配置されているが、図１の状態では透明ガラススクリーン１４に隠れて、見る者からは見えない。
【００２４】
なお、この絵は、後述するように、裏に隠れている自動車４０を表示した際にはその自動車４０と重畳して見えるので、線を主体とする絵（線画）とすることが好ましい。
【００２５】
透明ガラススクリーン１４の断面図が図２に示されている。この図２は、透明ガラススクリーン１４が台１２と接する部分を中心とした断面図である。
【００２６】
透明ガラススクリーン１４は、液晶ガラス２０と、エッジガラス２２を貼り合わせることによって構成されている。
【００２７】
液晶ガラス２０は、硬質ガラス２０ａの表面に液晶シート２０ｂを貼った構造をしている。そして、この液晶シート２０ｂに電圧を加えるための電極（不図示）が引き出されており、外部の制御装置（不図示）にこの電極は接続している。
【００２８】
液晶ガラス２０は、この液晶シート２０ｂに電圧を加えることによって透明状態になり、また、電圧を加えなければ不透明状態に変化する。このように、透明／不透明状態が電圧を加えることによって切り換えられるので、上述したように液晶ガラス１４ａは、調光ガラスとも呼ばれる。液晶ガラス２０は、６枚程度に分割されている。それぞれの液晶ガラス２０はその上辺に電極を有し、その電極から所定の配線が引き出されており、制御装置に接続している。
【００２９】
エッジガラス２２は、図２に示すように、その表面にエッジング２２ａを施したガラス板である。エッジング２２ａとは、図２に示すようにガラス板表面に設けた凹部を言う。この凹部は、このようなエッジング２２ａを設けることによって、このエッジング２２ａ部分に光を当てることによってエッジング２２ａを光らせることができる。
【００３０】
図２に示すように、透明ガラススクリーン１４の基部には、発光ダイオード３０が所定間隔で設けられており、エッジガラス２２に対してその縁部から光を照射することができる。例えば、２０ｍｍ間隔でこの発光ダイオード３０がエッジガラス２２の縁部に設けられているのである。このような構成によって、発光ダイオード３０の光を受けてエッジング２２ａが所定の色の光に光るのである。発光ダイオード３０への電力は図示されていない制御装置から供給される。
【００３１】
２．動作
本実施の形態で説明する展示装置１０は種々の動作を実行することができるが、以下の説明では、自動車の衝突時における安全性を視覚的にわかりやすく表示する動作を例として説明する。
【００３２】
本実施の形態の展示装置１０においては、図示されていない制御装置が、以下の事項を制御する。
【００３３】
・液晶ガラス２０の透明／不透明状態
・発光ダイオード３０の点灯／消灯状態
さらに、この制御装置は、予めプログラムされたシーケンスで、上記の状態を、時間と共に変化させる。また、単に発光ダイオード３０の点灯／消灯だけでなく、明滅状態（点滅状態）にすることも可能である。以下、制御の一例を説明する。
【００３４】
まず、図１の段階では、液晶ガラス２０は不透明状態である（液晶シート２０ｂに電圧加えず）。その結果、この展示装置１０を見る者は、透明ガラススクリーン１４の液晶ガラス２０上に描かれた自動車の絵を肉眼上見ることになる（図１）。
【００３５】
次に、所定の制御装置からの電圧が液晶ガラス２０（液晶シート２０ｂ）に加えられ、液晶ガラス２０は不透明状態から透明状態に移行する。この様子が図３に描かれている。
【００３６】
液晶ガラス２０は透明であり、エッジガラス２２も透明であるので、透明ガラススクリーン１４は透明となり、裏に隠れていた自動車４０が透明ガラススクリーン１４を通して見える状態になる（図３）。ここで示す例では、この自動車４０は正面衝突状態の自動車４０である。
【００３７】
このように、不透明状態から透明状態に液晶ガラス２０を変化させることによって、透明ガラススクリーン１４上に描かれた絵から、実際に衝突実験で用いた車両を見ることができ、両者を比較することによってどのようなダメージが車両に与えられたのかを視覚的に把握することができる。
【００３８】
次に、発光ダイオード３０を点灯させる。すると、この発光ダイオード３０から発せられた光は、エッジガラス２２を伝播し、エッジング２２ａにおいて乱反射する。その結果、エッジング２２ａが光っているように見える。このエッジング２２ａは所定間隔（例えば２０ｍｍ等）で設けられている。
【００３９】
本実施の形態では、このエッジング２２ａが自動車４０の形状に合わせた領域に設けられている。この様子が図４に示されている。図４は、図３において、エッジング２２ａが設けられている領域を拡大した拡大図である。図３や図１ではエッジング２２ａは光っていないので省略して図示されていない。
【００４０】
さて、この図４においては、エッジング２２ａの光によって、衝突時の応力の伝播を表現している。この図４においては、応力がエンジンルームを伝わる間に十分に減衰し、人が搭乗する居住空間には応力の影響が見られないことを表現しようとしている。
【００４１】
図４に示すように、エッジング２２ａは、エンジンルームから、自動車の居住空間に至る領域に設けられている。そして、図４に示すように、その部分に係る応力の大きさに応じて発光ダイオード３０の発光する光の色彩が選択されている。図４に示すようにエンジンルーム部分は、強い応力を示すためにその部分の発光ダイオード３０は、「赤」の光を発する。また、タイヤハウスの後部はやや弱い応力を表すため「橙」の光を発する。また、居住空間とタイヤハウスの間の空間は、さらに弱い応力を表すため「緑」を光を発する。そして、居住空間の周囲では、応力が非常に弱いことを示すために「青」の光を用いている。
【００４２】
このように、本実施の形態において特徴的なことは、エッジガラス２２の縁部に設けられいる発光ダイオード３０の発する光の色が各領域毎に異なっていることである。このような構成を採用することによって、応力の伝播の様子を視覚的に明瞭に示すことができたのである。
【００４３】
特に、本実施の形態では、発光ダイオード３０を明滅させて、自動車の前方から公報に向けて、光が流れるように演出を行った。このように発光手段の明滅を制御し光が流れるような演出・表示自体は従来から行われていたことであり、本実施の形態でも従来のそのような表示手法を踏襲すれば良い。
【００４４】
以上述べたような手法によって、自動車４０が衝突した場合の車体の変形や、衝突の際の応力の伝播の様子を、視覚的に明瞭に示すことができ、より説得力のある展示をすることが可能である。
【００４５】
３．応用例・変形例
（１）液晶ガラス２０を、透明状態／不透明状態に変化させる例を示したが、部分的にこれらの状態を制御することも好ましい。例えば、上述した動作例では、液晶ガラス２０を透明状態にして、隠れていた自動車４０を目視可能な状態に置いたが、この際、部分的に隠す、又は部分的に見えるような状態に置くことも演出上効果的である。例えば、居住空間は不透明状態に維持する等の制御も好ましい。
【００４６】
（２）液晶ガラス２０を不透明状態のまま、発光ダイオード３０を発光させ、エッジガラス２２のエッジング２２ａを光らせることも好ましい。例えば、不透明状態の場合と、透明状態の場合とで、発光させるダイオード３０を変えることによって、衝突前後の様子をわかりやすく説明することが可能である。
【００４７】
（３）透明ガラススクリーン１４の構成要素として液晶ガラス２０を用いたが、液晶シート２０ｂを貼り付けた透明部材であれば他の材質を用いることも好ましい。
【００４８】
（４）自動車４０の絵を液晶ガラス２０に描いたが、エッジガラス２２に絵を描くことも好ましい。
【００４９】
（５）エッジガラス２２上に設けたエッジング２２ａは、円筒状の穴であるが、四角（正方形・長方形）や三角など、他の形状でも良い。また、円錐や三角錐等の形状でも好ましい。また、エッジング２２ａは、半球状の穴でも良い。要するに、何らかの凹部であれば良い。さらに、エッジング２２ａは、加工上の都合がつけば、凸状の形態を採用してもかまわない。さらに、エッジング２２ａは、貫通した孔の形状を採用してもかまわないし、溝状の形状を採用することも好ましい。
【００５０】
（６）発光ダイオード３０としては、種々の色の光を採用することが可能である。また、いわゆるフルカラー発光ダイオードを用いて、色彩を切り換えたり、色彩を時間と共に滑らかに（又は急峻に）変化するように構成することも好ましい。
【００５１】
（７）また、発光ダイオード３０は、エッジガラス２２の周辺の縁近傍であれば何処に取り付けても良い。エッジガラス２２の一辺だけでなく、二辺以上に取り付けてもかまわない。また、もちろん、エッジング２２ａが存在する部分にだけ取り付ければ十分である。
【００５２】
（８）また、発光ダイオード３０の代わりに他の発光手段を採用することも好ましい。例えば、各種電球、蛍光灯、小型の冷陰極線管等が好ましい。
【図面の簡単な説明】
【００５３】
【図１】展示装置の正面図である。
【図２】透明ガラススクリーンの断面図である。
【図３】液晶ガラスが不透明状態から透明状態に移行した後の様子を示す説明図である。
【図４】エッジングが自動車の形状に合わせた領域に設けられている様子を示す説明図である。
【符号の説明】
【００５４】
１０  展示装置
１２  台
１４  透明ガラススクリーン
１６  ボルト
２０  液晶ガラス
２０ａ  硬質ガラス
２０ｂ  液晶シート
２２  エッジガラス
２２ａ  エッジング
３０  発光ダイオード
４０  自動車
【図１】
2007219154.tif 000003
【図２】
2007219154.tif 000004
【図３】
2007219154.tif 000005
【図４】
2007219154.tif 000006